(57)【要約】【課題】安価で、糞尿の清掃が容易となる畜舎を提供する。【解決手段】筒の延設方向を横方向として設置され、複数の家畜を収容する樹脂製の筒状筐体２と、この筒状筐体２の内部に水平状に設置され、家畜の糞尿用の落下孔を形成した家畜載置用の床材１１と、を備える畜舎１とした。また、床材１１の下方の空間が、筒状筐体２の内壁面を底面とする糞尿溜め空間１３として構成される。筒状筐体２としてはＦＲＰパイプが好適である。【選択図】図１
2008079599.tif 000002
【特許請求の範囲】
【請求項１】
筒の延設方向を横方向として設置され、複数の家畜を収容する樹脂製の筒状筐体と、
この筒状筐体の内部に水平状に設置され、家畜の糞尿用の落下孔を形成した家畜載置用の床材と、を備えたことを特徴とする畜舎。
【請求項２】
前記床材の下方の空間が、前記筒状筐体の内壁面を底面とする糞尿溜め空間として構成されていることを特徴とする請求項１に記載の畜舎。
【請求項３】
前記床材から前記筒状筐体の断面中央上端までの室内高さ寸法が１．８メートル以上の値に設定されていることを特徴とする請求項１または請求項２に記載の畜舎。
【請求項４】
前記筒状筐体の両端は側壁によって閉塞され、少なくとも一方の側壁に人の出入り口が形成されていることを特徴とする請求項１ないし請求項３のいずれかに記載の畜舎。
【請求項５】
前記床材上の家畜収容空間を前記筒状筐体の延設方向に区画する間仕切り部材を備えたことを特徴とする請求項１ないし請求項４のいずれかに記載の畜舎。
【請求項６】
前記筒状筐体には、前記筒状筐体の周方向に延設される補強部材が前記筒状筐体の延設方向に間隔を空けて複数内嵌され、
前記間仕切り部材は、この補強部材にねじの締結により着脱自在に取り付けられる構成としたことを特徴とする請求項５に記載の畜舎。
【請求項７】
前記床材の上方空間において、前記床材から離間し、前記筒状筐体の延設方向に沿う監視用通路を備えたことを特徴とする請求項１ないし請求項６のいずれかに記載の畜舎。
【請求項８】
前記筒状筐体と別体に設けられ、前記糞尿溜め空間に連通する糞尿貯留槽と、
前記筒状筐体の内部において、前記筒状筐体の延設方向に沿って配管され、複数の吸気口を形成した吸気管と、
を備え、前記吸気管を介して吸気した前記筒状筐体内の空気を前記糞尿貯留槽に送気する構成としたことを特徴とする請求項１ないし請求項７のいずれかに記載の畜舎。
【請求項９】
前記筒状筐体をＦＲＰパイプから構成したことを特徴とする請求項１ないし請求項８のいずれかに記載の畜舎。
【請求項１０】
前記ＦＲＰパイプは、断熱材層を間に挟んだ３層構造からなることを特徴とする請求項９に記載の畜舎。
【請求項１１】
前記筒状筐体を内側の筒状筐体と外側の筒状筐体との２重構造とし、両者間の空間に空気または水を通す構成としたことを特徴とする請求項１ないし請求項９のいずれかに記載の畜舎。
【発明の詳細な説明】
【技術分野】
【０００１】
本発明は、家畜を収容する畜舎に関するものである。
【背景技術】
【０００２】
豚用の畜舎の従来構造としては、特許文献１に代表されるプレハブ式のものが一般的である。
【特許文献１】特開平１０−２８６０３５号公報
【発明の開示】
【発明が解決しようとする課題】
【０００３】
このようなプレハブ式の畜舎では、建築費用が嵩むので、施設費用が高くなりやすいという問題がある。また、糞尿の処理構造が複雑になりやすく、清掃が行いにくいという問題もある。
【０００４】
本発明は、以上のような問題を解決するために創作されたものであり、安価で、糞尿の清掃が容易となる畜舎を提供することを目的としている。
【課題を解決するための手段】
【０００５】
本発明は、前記課題を解決するため、筒の延設方向を横方向として設置され、複数の家畜を収容する樹脂製の筒状筐体と、この筒状筐体の内部に水平状に設置され、家畜の糞尿用の落下孔を形成した家畜載置用の床材と、を備えたことを特徴とする畜舎とした。また、前記床材の下方の空間が、前記筒状筐体の内壁面を底面とする糞尿溜め空間として構成されていることを特徴とする畜舎とした。
【０００６】
この畜舎によれば、（１）家畜の収容施設を筒状筐体から構成することで、家畜の収容施設費用を安価にできる。また、筒状筐体を地面に載置するだけで済むので、固定資産税がかからずに済み、建築確認の作業等も不要となる。筒状筐体の設置場所の移動も容易となる、（２）床材に糞尿の落下孔が形成されているので、床材に糞尿が溜まることがない。したがって、床材上の家畜に対して衛生的となり、床材の清掃も容易となる、（３）筒状筐体が樹脂材よりなるので、金属材料とした場合に比して耐腐食性に優れる、（４）部材点数が少なく、畜舎の組み立て時間が短時間で済む。また、簡易な構造であるので、同様のものを複数連結することも容易であり、拡張性に優れる、（５）気密性が高い構造となり、年間を通じ空調環境が良好となる。また、野鳥やネズミの侵入を防止できる、（６）筐体が筒状を呈しているので、筐体強度が高くなり、耐積雪性に優れる、等の効果が奏される。
【０００７】
また本発明では、前記床材の下方の空間が、前記筒状筐体の内壁面を底面とする糞尿溜め空間として構成されていることを特徴とする畜舎とした。
【０００８】
この畜舎によれば、前記（１）〜（６）の効果に加え、（７）糞尿溜め空間の底面が樹脂面として形成されるので、従来のように糞尿がコンクリート打ち面にこびり付いて清掃しにくいという問題も解消され、高圧水の噴射等によって溜まった糞尿を筒の延設方向に沿って効率的に押し流すことができる。したがって、糞尿溜め空間の清掃が容易になる、等の効果が奏される。
【０００９】
また本発明では、前記床材から前記筒状筐体の断面中央上端までの室内高さ寸法が１．８メートル以上の値に設定されていることを特徴とする畜舎とした。
【００１０】
この畜舎によれば、腰をかがめることなく清掃等を行えるので、畜舎内における諸作業の利便性が向上する。
【００１１】
また本発明では、前記筒状筐体の両端は側壁によって閉塞され、少なくとも一方の側壁に人の出入り口が形成されていることを特徴とする畜舎とした。
【００１２】
この畜舎によれば、筒状筐体の筒壁部に出入り口を設ける場合に比して出入り口の構造を簡易にすることができる。
【００１３】
また本発明では、前記床材上の家畜収容空間を前記筒状筐体の延設方向に区画する間仕切り部材を備えたことを特徴とする畜舎とした。
【００１４】
この畜舎によれば、例えば、生後３ヶ月の子豚群と生後５ヶ月の子豚群とを各区画ごとに飼育するというように、家畜収容空間を家畜の飼育状況に合わせて有効に利用することができる。
【００１５】
また本発明では、前記筒状筐体には、前記筒状筐体の周方向に延設される補強部材が前記筒状筐体の延設方向に間隔を空けて複数内嵌され、前記間仕切り部材は、この補強部材にねじの締結により着脱自在に取り付けられる構成としたことを特徴とする畜舎とした。
【００１６】
この畜舎によれば、簡易な構造で間仕切り部材を筒状筐体内に設置できる。そして、着脱自在であることから、変化する家畜の飼育状況に柔軟に対応できる。
【００１７】
また本発明では、前記床材の上方空間において、前記床材から離間し、前記筒状筐体の延設方向に沿う監視用通路を備えたことを特徴とする畜舎とした。
【００１８】
この畜舎によれば、家畜収容空間に対する視野角度が広くなり、多数の家畜の健康チェックが容易となる。監視用通路は床材の上方空間に設けられるので、家畜収容空間が狭くなることはない。
【００１９】
また本発明では、前記筒状筐体と別体に設けられ、前記糞尿溜め空間に連通する糞尿貯留槽と、前記筒状筐体の内部において、前記筒状筐体の延設方向に沿って配管され、複数の吸気口を形成した吸気管と、を備え、前記吸気管を介して吸気した前記筒状筐体内の空気を前記糞尿貯留槽に送気する構成としたことを特徴とする畜舎とした。
【００２０】
この畜舎によれば、糞尿から発生するメタンガスやアンモニア等が吸気管を介して外部に排出されることになり、筒状筐体内にこれらのガスや臭気が充満することを防止できる。また、排出したガスの臭気を糞尿貯留槽を利用して処理できるので、経済的な畜舎を構築できる。この際、ガスを糞尿貯留槽内の糞尿に曝気させれば、糞尿を浄化させることができる。
【００２１】
また本発明では、前記筒状筐体をＦＲＰパイプから構成したことを特徴とする畜舎とした。
【００２２】
この畜舎によれば、安価で高強度な筐体を確保できる。
【００２３】
また本発明では、前記ＦＲＰパイプは、断熱材層を間に挟んだ３層構造からなることを特徴とする畜舎とした。
【００２４】
この畜舎によれば、外気に対して筒状筐体内の保温が良好となるので、寒冷地の屋外等に設置する場合に有効となる。
【００２５】
また本発明では、前記筒状筐体を内側の筒状筐体と外側の筒状筐体との２重構造とし、両者間の空間に空気または水を通す構成としたことを特徴とする畜舎とした。
【００２６】
この畜舎によれば、経済的なランニングコストで、内側の筒状筐体内の室温、つまり家畜収容空間の室温を適温に保持できる。
【発明の効果】
【００２７】
本発明によれば、家畜の収容施設費用が安価で済み、糞尿の清掃も容易となる。
【発明を実施するための最良の形態】
【００２８】
本発明に係る畜舎は、特に子豚の収容に適している。
「第１実施例」
図１ないし図３は第１実施例に関する図面であり、図１は本発明に係る畜舎の外観斜視図（一部破断）、図２において（ａ）、（ｂ）はそれぞれ図１におけるＡ−Ａ断面図、Ｂ−Ｂ断面図、図３において（ａ）、（ｂ）はそれぞれ本発明に係る畜舎の平断面説明図、側断面説明図である。
【００２９】
図１ないし図３において、畜舎１は、筒の延設方向（筒軸方向）が横方向となるように設置される、閉断面で一定形状断面の筒状筐体２を主な外郭部材として構成される。本実施例では、筒状筐体２は断面円形を呈した円筒部材として構成されている。筒状筐体２の寸法は、収容する家畜数にもよるが、例えば子豚１００頭程度を収容する場合、外径約２．５メートル、長さ約１０メートル程度とする。筒状筐体２は樹脂製であり、その板厚としては、例えば数ミリメートル〜数センチメートル程度である。また、筒状筐体２の内壁面は特に、糞尿がこびり付きにくいように鏡面状に形成されている。
【００３０】
樹脂製の筒状筐体２の具体例としては、ＦＲＰ（繊維強化プラスチック）パイプが好適である。ＦＲＰパイプとしては、金型に半硬化状態のＦＲＰシートを巻きつけてパイプ状に成形する、いわゆるシートワインディング製法で製造されたものを使用することができる。
【００３１】
断熱効率を高めるために、筒状筐体２を２重構造としてもよい。この場合、内側の筒状筐体と外側の筒状筐体との間に形成される空間については、そのまま空気貯めの空間としてもよいし、ウレタン材等の断熱材を介在させてもよい。後者の場合で筒状筐体２をＦＲＰパイプとすれば、つまり、筒状筐体２を、断熱材層を間に挟んだ３層構造からなるＦＲＰパイプとすれば、シートワインディング製法により容易に製造できるので、断熱性と経済性の両立を図ることができる。
【００３２】
筒状筐体２の両端は円板形状の側壁３によって閉塞される。側壁３もＦＲＰ等の樹脂材から構成される。各側壁３には、人の出入り口としてのドア４、換気扇５、窓６、餌投入口用の開閉蓋７が取り付けられている。ドア４は側壁３の中央部付近に設けられ、開閉蓋７はドア４を挟んで一対設けられている。換気扇５による直接的な空気の流れが家畜（子豚）にかからないように、換気扇５は家畜（子豚）よりも上方の高さ位置に取り付けられている。
【００３３】
また、図２に示すように、筒状筐体２の上部には換気用のファン８が取り付けられ、このファン８を保護するカバー９が筒状筐体２の上部外面側に取り付けられている。ファン８は、筒状筐体２の長さ方向においても間隔をおいて複数取り付けられている。なお、ファン８に代えて、筒状筐体２内に外気を送り込む送風機を筒状筐体２の上部に取り付ける態様としてもよい。
【００３４】
断面円形の筒状筐体２を地面に載置するに当たっては、例えば、筒状筐体２の下部外面側に、筒状筐体２の姿勢を維持するための取り付け台座１０が複数あてがわれる。
【００３５】
筒状筐体２の内部の下方には家畜載置用の床材１１が水平状に設置され、例えば、筒状筐体２の下端から５０センチメートル程度上方に設置される。床材１１は、概ね筒状筐体２の内部全長にわたって設置されており、筒状筐体２の内部空間を上方の家畜収容空間１２と下方の糞尿溜め空間１３とに区画する。これにより、糞尿溜め空間１３は、床材１１よりも下方に位置した、筒状筐体２の断面円弧状の内壁面を底面とする空間として構成される。床材１１には、家畜の糞尿を糞尿溜め空間１３に落下させるために落下孔が全面にわたって形成されている。床材１１の具体例としては、スノコや打抜き金網、等であり、そのスリットや網目が前記落下孔に相当する。床材１１の材質としては、金属、プラスチック等が好適であるが、特に限定されるものではない。
【００３６】
床材１１の縁部は図示しない固定手段により、筒状筐体２の内壁面や側壁３の内面等に固定される。図３等に示すように、一方の側壁３の下部には、糞尿溜め空間１３に溜まった糞尿を外部に排出するための集尿ピット１４が取り付けられる。
【００３７】
また、家畜収容空間１２には清掃時等に人が入る。日本人の成人男性の平均身長がおよそ１．７メートル前後であることを考慮すると、家畜収容空間１２の高さ寸法、すなわち図２に示すように、床材１１から筒状筐体２の断面中央上端までの室内高さ寸法Ｈは少なくとも１．８メートル以上の値に設定されていることが好ましい。なお、筒状筐体２の製造コストや搬送性を考慮すると、筒状筐体２の外郭形状における高さ寸法は３メートル以内であることが好ましい。
【００３８】
筒状筐体２内において、各開閉蓋７に対応した位置には餌箱１５が設置されている。図４は餌箱の説明図であり、（ａ）は外観斜視図、（ｂ）は側断面説明図である。図１の開閉蓋７を開けて投入された餌は、餌箱１５の上端開口からホッパ部を介して餌箱１５の下部に供給される。家畜は餌箱１５の前面に形成された鉄格子１５ａ付の開口部から餌を食べる。
【００３９】
以上のように、筒の延設方向を横方向として設置され、複数の家畜を収容する筒状筐体２と、この筒状筐体２の内部に水平状に設置され、家畜の糞尿用の落下孔を形成した家畜載置用の床材１１と、を備える畜舎１とすれば、次のような効果が奏される。
（１）家畜の収容施設を筒状筐体２から構成することで、家畜の収容施設費用を安価にできる。また、筒状筐体２を地面に載置するだけで済むので、固定資産税がかからずに済み、建築確認の作業等も不要となる。筒状筐体２の設置場所の移動も容易となる。
（２）床材１１に糞尿の落下孔が形成されているので、床材１１に糞尿が溜まることがない。したがって、床材１１上の家畜に対して衛生的となり、床材１１の清掃も容易となる。
（３）筒状筐体２が樹脂材よりなるので、金属材料とした場合に比して耐腐食性に優れる。
（４）部材点数が少なく、畜舎１の組み立て時間が短時間で済む。また、簡易な構造であるので、同様のものを複数連結することも容易であり、拡張性に優れる。
（５）気密性が高い構造となり、年間を通じ空調環境が良好となる。また、野鳥やネズミの侵入を防止できる。
（６）筐体が筒状を呈しているので、筐体強度が高くなり、耐積雪性に優れる。
また、床材１１の下方の空間が、筒状筐体２の内壁面を底面とする糞尿溜め空間１３として構成される畜舎１とすれば、
（７）糞尿溜め空間１３の底面が樹脂面として形成されるので、従来のように糞尿がコンクリート打ち面にこびり付いて清掃しにくいという問題も解消され、高圧水の噴射等によって、溜まった糞尿を筒の延設方向に沿って効率的に押し流すことができる。これにより、糞尿溜め空間１３の清掃が容易になる。
という効果も奏される。
【００４０】
なお、本実施例のように、筒状筐体２の断面形状を円形とすることで、糞尿溜め空間１３の底面が下側に向けて凸となる曲面から構成されることになるので、糞尿が筒状筐体２の下端に集まりやすくなり、高圧水の噴射等によって、溜まった糞尿を筒の延設方向に沿ってより効率的に押し流すことができる。
【００４１】
また、床材１１から筒状筐体２の断面中央上端までの室内高さ寸法Ｈを１．８メートル以上の値に設定すれば、腰をかがめることなく清掃等を行えるので、畜舎１内における諸作業の利便性が向上する。
【００４２】
また、筒状筐体２の両端が側壁３によって閉塞され、少なくとも一方の側壁３に人の出入り口（ドア４）が形成される構成とすれば、筒状筐体２の筒壁部に出入り口を設ける場合に比して出入り口の構造を簡易にすることができる。
【００４３】
さらに、筒状筐体２をＦＲＰパイプから構成すれば、高強度な筐体で、かつ安価な畜舎を構築できる。特に経済性から言えば、シートワインディング製法で製造されたＦＲＰパイプとすることが好ましい。
【００４４】
図５は筒状筐体２の内部のレイアウト変形例を示す図であり、畜舎１の平断面説明図である。この変形例では、筒状筐体２の長手方向中央部に給餌エリア１６を設け、この給餌エリア１６を挟んで両側に家畜収容空間１２を形成している。給餌エリア１６への出入り口として筒状筐体２の筒壁部にはドア１７が設けられている。給餌エリア１６の床材は家畜載置用の床材１１であってもよいし、ＦＲＰ等から構成してもよい。
【００４５】
「第２実施例」
図６ないし図８は第２実施例に関する図面であり、図６は畜舎の外観斜視図（一部破断）、図７は断面説明図、図８は平断面説明図である。
【００４６】
第１実施例の筒状筐体２が断面円形を呈した円筒部材として構成されていたのに対し、第２実施例の筒状筐体２２は、断面略四角形状を呈している。この断面略四角形状において、上面部２２ａと一対の側面部２２ｂの各面は外側に向けて凸となるように円弧面として形成されている。下面部２２ｃは地面に安定して載置させるべく平面状に形成されている。
【００４７】
この筒状筐体２２としても、ＦＲＰパイプが好適であり、シートワインディング製法で製造されたものを使用することができる。断熱効率を高めるために、筒状筐体２２を２重構造としてもよく、例えば、筒状筐体２２を、断熱材層を間に挟んだ３層構造からなるＦＲＰパイプとしてもよい。
【００４８】
筒状筐体２２の両端は側壁２３によって閉塞される。側壁２３もＦＲＰ等の樹脂材から構成される。側壁２３には、換気扇２５や窓２６が取り付けられている。本実施例において、人の出入り口であるドア２４は一方の側面部２２ｂの長手方向中央部に取り付けられている。図８に示すように、筒状筐体２２の長手方向中央部に給餌エリア１６が形成され、餌箱１５が設置されている。
【００４９】
筒状筐体２２には、上面部２２ａと一対の側面部２２ｂにおける内壁面に当接するように、補強部材３８が内嵌されている。補強部材３８は図８に示すように断面Ｌ字状を呈しており、筒状筐体２２の延設方向に間隔をおいて複数設けられている。図６や図７に示すように、補強部材３８の開口部３８ａの下縁辺３８ｂは水平状に形成されており、例えば床材２１はこの下縁辺３８ｂに載置される。補強部材３８の下部には、糞尿溜め空間１３を長手方向に連通させるべく切欠き３８ｃが形成されている。このような補強部材３８を設けることで筒状筐体２２の強度を効果的に上げることができるので、筒状筐体２２の板厚を薄くさせることができ、経済性において有利となる。勿論、この補強部材３８の適用は第１実施例においても可能である。
【００５０】
そして、筒状筐体２２の内部には、家畜載置用の床材２１が例えば補強部材３８の下縁辺３８ｂに水平状に設置される。これにより、床材２１は、筒状筐体２２の下端から４０〜５０センチメートル程度上方に設置される。床材２１は、筒状筐体２２の内部空間を上方の家畜収容空間１２と下方の糞尿溜め空間１３とに区画する。これにより、糞尿溜め空間１３は、床材２１よりも下方に位置した、筒状筐体２２の内壁面（下面部２２ｃ）を底面とする空間として構成される。床材２１としては、第１実施例の床材１１と同じものが使用される。また、一方の側壁２３の下部には、糞尿溜め空間１３に溜まった糞尿を外部に排出するための集尿ピット１４（図８）が取り付けられる。
【００５１】
本実施例においても、家畜収容空間１２の高さ寸法、すなわち図７に示すように、床材２１から筒状筐体２２の断面中央上端までの室内高さ寸法Ｈは少なくとも１．８メートル以上の値に設定されていることが好ましい。また、筒状筐体２２の製造コストや搬送性を考慮すると、筒状筐体２２の外郭形状における高さ寸法は３メートル以内であることが好ましい。なお、家畜収容空間１２の高さ寸法に余裕がある場合には、屋外における日光照射による温度上昇などを考慮して、図７に仮想線で示すように家畜収容空間１２の上方に断熱材３９を配することもできる。
【００５２】
以上のような第２実施例でも、第１実施例で記した（１）〜（７）の効果を奏するものである。
【００５３】
「第３実施例」
図９ないし図１１は第３実施例に関する図面であり、図９、図１０はそれぞれ畜舎の外観斜視図（一部破断）、平断面説明図、図１１は補強部材に対する間仕切り部材の取り付け構造を示す説明図である。
【００５４】
第３実施例では、図９に示すように、筒状筐体３２を、断面円形を呈した円筒部材から構成した場合を示しており、側壁３には、換気扇５、窓６、換気扇５や筒状筐体３２内の照明機器（図示せず）を制御する制御盤３７が取り付けられる。この第３実施例の主な特徴部は、家畜収容空間１２を筒状筐体３２の延設方向に区画する間仕切り部材４１を備えた点にある。
【００５５】
第２実施例で示した補強部材３８と同様、筒状筐体３２の強度を上げる目的で、筒状筐体３２の周方向に延設された形状からなる補強部材４２が、図１０に示すように、筒状筐体３２の延設方向に間隔を空けて複数内嵌されている。前記間仕切り部材４１は、この補強部材４２にねじの締結により着脱自在に取り付けられる構造となっている。図１０では、間仕切り部材４１を４つ設けて家畜収容空間１２を５室に区画した場合を示している。人の出入り口であるドア２４は、それぞれ５室に対応して筒状筐体３２の周壁部に複数取り付けられている。各ドア２４を入った直後のエリアは給餌エリア１６となっており、餌箱１５が設置されている。ドア２４の材質は、耐腐食性を考慮すると樹脂製であることが好ましく、ＦＲＰが好適である。
【００５６】
図１１に示すように、補強部材４２の開口部４２ａの下縁辺４２ｂは水平状に形成されており、床材１１（図９）はこの下縁辺４２ｂに載置される。補強部材４２の下部には、糞尿溜め空間１３（図９）を長手方向に連通させるべく切欠き４２ｃが形成されている。間仕切り部材４１はその両端部が、補強部材４２の一面側において開口部４２ａの左右縁にあてがわれたうえで、補強部材４２の他面側で開口部４２ａの左右縁に跨る固定部材４３に対し、ねじ（具体的にはボルトおよびナット）により固定される。つまり、間仕切り部材４１は、固定部材４３とで補強部材４２を挟み込む態様として、補強部材４２に固定される。なお、符号４１ａ、４３ａはボルト挿通用の孔である。間仕切り部材４１の材質は、耐腐食性を考慮すると樹脂製が好ましく、ＦＲＰが好適である。
【００５７】
以上のように、家畜収容空間１２を筒状筐体３２の延設方向に区画する間仕切り部材４１を設ければ、例えば、生後３ヶ月の子豚群と生後５ヶ月の子豚群とを各区画ごとに飼育するというように、家畜収容空間１２を家畜の飼育状況に合わせて分けることができる。また、間仕切り部材４１を、補強部材４２にねじの締結により着脱自在に取り付ける構成とすれば、簡易な構造で間仕切り部材４１を筒状筐体３２内に設置でき、着脱自在であることから、変化する家畜の飼育状況に柔軟に対応できる。
【００５８】
「第４実施例」
図１２ないし図１５は第４実施例に関する図面であり、図１２（ａ）、（ｂ）はそれぞれ畜舎の平断面説明図、側断面説明図、図１３は畜舎の断面説明図である。図１４は、集尿ピットの構造説明図である。図１５は、糞尿浄化処理系と筒状筐体内の空気の処理系とを示すブロック図である。
【００５９】
第４実施例では、筒状筐体５２は断面略楕円形状を呈している。図１２（ａ）に示すように、一方の側壁３にはドア４が取り付けられるとともに、筒状筐体５２の周壁部にはドア２４が取り付けられている。この第４実施例でも、第３実施例の場合と同様、家畜収容空間１２は間仕切り部材４１により複数に区画されている。
【００６０】
第４実施例の特徴部は主に次の２点である。１点目は、図１２、図１３に示すように、床材１１の上方空間において、床材１１から離間し、筒状筐体５２の延設方向に沿う監視用通路５３を設けたことである。２点目は、図１５に示すように、筒状筐体５２と別体に設けられ、糞尿溜め空間１３に連通する糞尿貯留槽５４と、筒状筐体５２の内部において、筒状筐体５２の延設方向に沿って配管され、複数の吸気口５５ａを形成した吸気管５５と、を備え、吸気管５５を介して吸気した筒状筐体５２内の空気を糞尿貯留槽５４に送気する構成としたことである。
【００６１】
監視用通路５３は、図１３に示すように、家畜や間仕切り部材４１等と干渉しない程度に床材１１から離間して設けられる。その取り付け態様は、例えば懸吊バー５６を介して筒状筐体５２や補強部材４２に懸吊させる等である。監視用通路５３は、例えばパンチングメタル等から構成されるが、特にこれに限定されるものではない。このような監視用通路５３を設ければ、家畜収容空間１２に対する視野角度が広くなり、多数の家畜の健康チェックが容易となる。監視用通路５３は床材１１の上方空間に設けられるので、家畜収容空間１２が狭くなることはない。
【００６２】
次に、糞尿浄化処理系と筒状筐体５２内の空気の処理系について説明する。吸気管５５は、床材１１の下方、つまり糞尿溜め空間１３に配管される。図１３から判るように、吸気口５５ａは、家畜から落下してくる糞尿が内部に入らないように、その開口部は下向きとなっている。図１５において、吸気管５５は側壁３から外部の配管５５ｂに連通している。配管５５ｂの末端は糞尿貯留槽５４に連通している。配管５５ｂの途中にはブロワ５８が取り付けられている。
【００６３】
糞尿貯留槽５４は、配管５９を介して集尿ピット１４に連通している。集尿ピット１４の一構造例を図１４を参照して説明すると、集尿ピット１４の下端には配管５９の端口が上向きに臨み、通常時、この配管５９の端口は栓６０により閉塞されている。集尿ピット１４の上部には、開閉蓋１４ａが取り付けられ、通常時は閉じられている。したがって、この集尿ピット１４周りからネズミが侵入するおそれはない。そして、定期的に（例えば数日に一度の割合で）糞尿を排出するときは、開閉蓋１４ａを開け、栓６０を外すことで、糞尿を配管５９を介して図１５に示す糞尿貯留槽５４に排出する。なお、糞尿貯留槽５４は、１つの筐体内に３段階に区画されて構成されている。また、糞尿貯留槽５４には図示しない糞尿浄化処理槽が接続されており、糞尿貯留槽５４から排出された糞尿は糞尿浄化処理槽に送られる。
【００６４】
以上により、図１５において、ブロワ５８を駆動して吸気管５５に負圧を発生させることで、筒状筐体５２内の下方の空気を吸気口５５ａから吸気し、例えば図示しないガス分解装置で所定のガス分解処理を行ったうえで、或いは直接、糞尿貯留槽５４に送気する。具体的には、送気した空気を糞尿貯留槽５４内の糞尿に曝気させる。なお、この曝気処理により、糞尿がある程度浄化されることになり、その分、次工程の糞尿浄化処理槽の浄化処理能力に余裕を持たせることができる。筒状筐体５２内の下方の空気には、糞尿から発生するメタンガスやアンモニア等が多く含まれているので、これらが吸気管５５を介して筒状筐体５２の外部に排出されることで、筒状筐体５２内にこれらのガスや臭気が充満することが防止される。また、排出したガスの臭気を糞尿貯留槽５４を利用して消臭できるので、経済的な畜舎を構築できる。
【００６５】
以上、本発明について好適な実施形態を説明した。本発明は、説明した形態に限られることなくその趣旨を逸脱しない範囲で適宜に設計変更が可能である。例えば、筒状筐体２、２２の内部では上方の温度が高くなりやすいので、筒状筐体２、２２を内側の筒状筐体と外側の筒状筐体との２重構造とし、その間の空間を利用して、上方の空気と下方の空気とを強制的に循環させる空気循環システムを付加することもできる。
【００６６】
また、前記空間に水を通してもよい。図１６は、水の循環処理系を示すブロック図である。内側の筒状筐体６１と外側の筒状筐体６２とは、リング状を呈した複数の連結部材６３を介して同心状に配設される。連結部材６３には、水を通すための貫通孔６４が穿設されている。そして、水道や井戸、河川等からポンプＰで水を引いて前記空間全体に流す。このように前記空間に水を通せば、夏場において、筒状筐体６１内の室温を効果的に下げることができる。なお、前記空間から排出された水は例えば家畜の飲み水として利用することもできる。また、水の代わりに温風を通す、具体的には温風を循環させることも勿論可能であり、この場合には、冬場において、筒状筐体６１内の室温を効果的に上げることができる。
【００６７】
また、筒状筐体をＦＲＰパイプから構成する場合、前記したシートワインディング製法によるものの他に、ガラスロービングに樹脂を含浸させながら型に巻きつけて成形する、いわゆるフィラメントワインディング製法で製造したものを用いることができる。この場合、いわゆる型の外側に巻きつける外巻き式で製造されたものでもよいし、型の内側に巻きつける内巻き式で製造されたものでもよい。
【００６８】
さらに、本発明において「筒状筐体」とは、その断面形状が一体成形のものに限られず、閉断面を呈することになれば、分割式のもの（例えば図１７（ａ）に示すように、断面形状を上下に分割して筐体７１、７２からなる筒状筐体としたものや、図１７（ｂ）に示すように、断面形状を左右に分割して筐体７３、７４からなる筒状筐体としたもの）も含むものである。この場合、各筐体（筐体７１〜７４）を個別に現地までトラックやトレーラーで輸送できる。つまり、図２等に示した一体成形の筒状筐体に比して、トラックやトレーラーでの積載における道路法規上の高さ制限に関して有利となり、その分、各筐体７１〜７４の形状を大きく設計できる。したがって、断面形状の大きい畜舎を構築できることになる。
【００６９】
さらに、本発明においては、糞尿用の落下孔を形成した床材を備えていれば、落下孔を有していない、例えば平滑な床面からなる床材（これを無孔床材というものとする）を混在させた場合も本発明に包含されるものである。図１８（ａ）、（ｂ）はそれぞれ畜舎の平断面説明図、側断面説明図であり、間仕切り部材４１で区画された５つの空間それぞれに、糞尿用の落下孔を形成した床材１１と、この床材１１とほぼ床面が連なり、床材１１と同様に家畜が載る無孔床材７５とを備えた場合を示している。無孔床材７５は例えばＦＲＰ板材から構成される。
【００７０】
床を、落下孔を有した床材１１のみから構成した場合、主に冷たい空気が下方、つまり糞尿溜め空間１３から落下孔を通して上昇してくることから、状況によっては家畜（特に子豚）が風邪をひきやすくなる。これに対して、床材１１に加えて無孔床材７５を備える構成とすることで、子豚は下から空気が流れてこない無孔床材７５側を主な居場所として選び、したがって風邪等の病気が発生しにくい環境を構築できる。豚は、寝場所などの自分の居場所周りを綺麗にしておく習性があるため、糞尿をする際には自ら落下孔を有した床材１１側に移動する。
【００７１】
次に、糞尿溜め空間１３の最底部周りにおいて、主に尿を排出するための尿排出用小孔７６を穿設する構成としてもよい。尿排出用小孔７６は、糞はなるべく通さずに尿だけを落とすように、単独では例えば直径１０ミリ程度の孔として構成され、これらを例えば１０〜数１０個程度密集させて穿設する。そして、この密集させた尿排出用小孔７６群を図１８（ｂ）に示すように、筒状筐体の延設方向に間隔的に設ける。各尿排出用小孔７６群の下方には尿受け槽７７を設け、尿を配管７８を介して例えば図１５に示した糞尿貯留槽５４に排出する。このように尿排出用小孔７６を設ければ、糞尿の内の尿を効率良く、筒状筐体から外部に排出させることができる。
【００７２】
また、糞尿溜め空間１３に糞尿を掻き寄せるためのスクレイパ７９を設けてもよい。スクレイパ７９は、その掻き取り面部が糞尿溜め空間１３の底面形状に合わせて形成されている。図１９では、円弧面の掻き取り面部を有したスクレイパ７９とした場合を示している。スクレイパ７９は、例えばワイヤ８０により糞尿溜め空間１３の底部を筒状筐体の延設方向に沿って往復動し、糞尿を筒状筐体の端部、例えば集尿ピット１４側へと掻き寄せる。スクレイパ７９は、図示しないガイド部材により安定して筒状筐体の延設方向に沿って移動するようになっている。ワイヤ８０は筒状筐体から外部に延出して、図示しない駆動源に接続している。スクレイパ７９も例えばＦＲＰ材から構成される。糞尿溜め空間１３の底面は樹脂面として形成されていることから、スクレイパ７９による糞尿の掻き取り具合も良好となる。これにより、例えば、高圧水の噴射による清掃を省略できる、或いは高圧水の噴射による清掃間隔を広げることができる、などの効果が奏される。
【図面の簡単な説明】
【００７３】
【図１】本発明に係る畜舎の外観斜視図（一部破断）である。
【図２】（ａ）、（ｂ）はそれぞれ図１におけるＡ−Ａ断面図、Ｂ−Ｂ断面図である。
【図３】（ａ）、（ｂ）はそれぞれ本発明に係る畜舎の平断面説明図、側断面説明図である。
【図４】餌箱の説明図であり、（ａ）は外観斜視図、（ｂ）は側断面説明図である。
【図５】筒状筐体の内部のレイアウト変形例を示す平断面説明図である。
【図６】第２実施例における畜舎の外観斜視図（一部破断）である。
【図７】第２実施例における畜舎の断面説明図である。
【図８】第２実施例における畜舎の平断面説明図である。
【図９】第３実施例における畜舎の外観斜視図（一部破断）である。
【図１０】第３実施例における畜舎の平断面説明図である。
【図１１】補強部材に対する間仕切り部材の取り付け構造を示す説明図である。
【図１２】第４実施例における畜舎の説明図であり、（ａ）、（ｂ）はそれぞれ畜舎の平断面説明図、側断面説明図である。
【図１３】第４実施例における畜舎の断面説明図である。
【図１４】集尿ピットの構造説明図である。
【図１５】糞尿浄化処理系と筒状筐体内の空気の処理系とを示すブロック図である。
【図１６】筒状筐体を２重構造とした場合の水の循環処理系を示すブロック図である。
【図１７】筒状筐体を断面形状において分割式とした場合の断面説明図である。
【図１８】（ａ）、（ｂ）はそれぞれ畜舎の平断面説明図、側断面説明図である。
【図１９】スクレイパの外観斜視図である。
【符号の説明】
【００７４】
１      畜舎
２、２２、３２、５２  筒状筐体
３      側壁
４、２４  ドア（出入り口）
１１、２１  床材
１２      家畜収容空間
１３      糞尿溜め空間
３８、４２  補強部材
４１      間仕切り部材
５３      監視用通路
５４      糞尿貯留槽
５５      吸気管
【図１】
2008079599.tif 000003
【図２】
2008079599.tif 000004
【図３】
2008079599.tif 000005
【図４】
2008079599.tif 000006
【図５】
2008079599.tif 000007
【図６】
2008079599.tif 000008
【図７】
2008079599.tif 000009
【図８】
2008079599.tif 000010
【図９】
2008079599.tif 000011
【図１０】
2008079599.tif 000012
【図１１】
2008079599.tif 000013
【図１２】
2008079599.tif 000014
【図１３】
2008079599.tif 000015
【図１４】
2008079599.tif 000016
【図１５】
2008079599.tif 000017
【図１６】
2008079599.tif 000018
【図１７】
2008079599.tif 000019
【図１８】
2008079599.tif 000020
【図１９】
2008079599.tif 000021